(57)【要約】      （修正有）【課題】複数の荷電粒子ビームレットで試料を検査するための荷電粒子ビーム装置を提供する。【解決手段】荷電粒子ビーム装置１は、試料ホルダと、発散電子ビーム５を生成するためのソース４と、発散電子ビーム５を複数の一次電子ビーム３のアレイに変換し、サンプル１５に向けるための照明器２ｂと、を備え、複数の一次電子ビーム３を規定するための複数の開口を有する開口レンズアレイ６、ならびに開口レンズアレイ６の表面に電場を発生させるための少なくとも第１の電極を含み、開口レンズアレイ６の開口は、隣接する開口によって誘発された収差を補正するために非円形断面形状を有する。【選択図】図１
2020140960.tif 000002
【特許請求の範囲】
【請求項１】
複数の荷電粒子ビームレットで試料を検査するための荷電粒子ビーム装置であって、
試料を保持するための試料ホルダと、
荷電粒子のビームを生成するためのソースと、
前記荷電粒子のビームを複数の荷電粒子ビームレットに変換し、前記複数の荷電粒子ビームレットを前記試料の上に向けるための照明器であって、
対応する複数の荷電粒子ビームレットを規定するための複数の開口を有する多開口レンズプレート、ならびに
前記多開口レンズプレートの表面に電場を発生させるための少なくとも第１の電極を含む、照明器と、
前記複数の荷電粒子ビームレットによる照射に応答して試料から発する放射線束を検出するための検出器と、を備え、
前記多開口レンズプレートの前記開口は、非円形断面形状を有することを特徴とする、荷電粒子ビーム装置。
【請求項２】
前記開口は、形状および／または向きが実質的に同一である、請求項１に記載の荷電粒子ビーム装置。
【請求項３】
前記開口は、実質的に連続的に湾曲した外周を有する、請求項１または２に記載の荷電粒子ビーム装置。
【請求項４】
前記断面形状は、第１の方向に測定される第１の軸と、前記第１の方向に実質的に直交する第２の方向に測定される第２の軸とを有し、前記第２の軸が前記第１の軸よりも長い、請求項１〜３のいずれか一項に記載の荷電粒子ビーム装置。
【請求項５】
前記断面形状は、少なくとも２つの対称軸を有する、請求項１〜４のいずれか一項に記載の荷電粒子ビーム装置。
【請求項６】
前記断面形状は、少なくとも４つの対称軸を有する、請求項５に記載の荷電粒子ビーム装置。
【請求項７】
前記開口は、長円形、楕円形、丸みを帯びた正方形、または丸みを帯びた長方形の断面形状を有する、請求項１〜６のいずれか一項に記載の荷電粒子ビーム装置。
【請求項８】
前記開口プレートは、隣接する開口間に設けられ、かつ前記多開口レンズプレートの前記表面で前記電場を局所的に修正するように配置された少なくとも１つのビームレット形状調整要素をさらに含む、請求項１〜８のいずれか一項に記載の荷電粒子ビーム装置。
【請求項９】
前記ビームレット形状調整要素は、前記多開口レンズプレート内の凹部を含む、請求項９に記載の荷電粒子ビーム装置。
【請求項１０】
前記凹部は、止まり穴である、請求項１０に記載の荷電粒子ビーム装置。
【請求項１１】
前記ビームレット形状調整要素は、前記多開口レンズプレート上の突起を含む、請求項９〜１１のいずれか一項に記載の荷電粒子ビーム装置。
【請求項１２】
前記ビームレット形状調整要素は、前記隣接する開口の間のほぼ中間に設けられている、請求項９〜１２のいずれか一項に記載の荷電粒子ビーム装置。
【請求項１３】
前記ビームレット形状調整要素の直径は、前記開口の直径の０．２５から０．７５の間にあり、特に０．５に等しい、請求項９〜１３のいずれか一項に記載の荷電粒子ビーム装置。
【請求項１４】
前記多開口レンズプレートは、前記荷電粒子ビーム装置の使用時に対応する複数の荷電粒子ビームレットを規定するように配置された複数の開口を有し、前記多開口レンズプレートの前記開口が非円形断面形状を有することを特徴とする、請求項１〜１４のいずれか一項に記載の荷電粒子ビーム装置用の多開口レンズプレート。
【請求項１５】
前記多開口レンズプレートが、請求項２〜１４のいずれか一項によって規定される、請求項１５に記載の多開口レンズプレート。
【発明の詳細な説明】
【技術分野】
【０００１】
詳細な説明
本発明は、複数の荷電粒子ビームレットで試料を検査するための荷電粒子ビーム装置であって、
−試料を保持するための試料ホルダと、
−荷電粒子のビームを生成するためのソースと、
−当該荷電粒子のビームを複数の荷電粒子ビームレットに変換し、当該複数の荷電粒子ビームレットを当該試料の上に向けるための照明器と、を備える、荷電粒子ビーム装置に関する。
【背景技術】
【０００２】
既知のシステムでは、照明器は、対応する複数の荷電粒子ビームレットを規定するための複数の開口を有する多開口レンズプレート、ならびに多開口レンズプレートの表面に電場を発生させるための少なくとも第１の電極を含む。マルチビーム荷電粒子システムでは、開口のアレイ（通常、丸い穴の規則的な正方形パターン）を備えた導電性材料の薄いプレートが使用される。開口アレイは通常、二重の役割を果たす。第一に、開口は、個々のビームレットを、それらが（例えば）電界放出器ガンによって放出される単一の大きなビームから切り取られるときに規定する。したがって、それらは個々のビームレットのためのビーム制限開口として機能する。第二に、プレートの少なくとも一方側に電場があり、他方側に異なる場がある場合、個々の開口はビームレットのための（マイクロ）レンズとして機能する。したがって、ビーム全体についての一般的な交差点とは異なる平面のビームレットに対して（仮想）交差点が生成される。これにより、（例えば）ビームレットをプローブとして規則的なパターンで試料上に焦点合わせすることができる。あるいは、レンズには、ビーム規定に使用されるものとは異なる開口アレイを使用することができる。
【０００３】
上述のマルチビームレット装置は満足のいく結果を提供するが、マルチビームレット装置の画像解像度はある程度不足していることが分かった。これは、シングルビーム装置と比較して特に当てはまる。
【０００４】
上記を念頭において、複数の荷電粒子ビームレットを有する改善された荷電粒子装置を提供することが目的である。
【発明の概要】
【０００５】
この目的のために、請求項１に記載の荷電粒子ビーム装置が提供される。荷電粒子ビーム装置は、対応する複数の荷電粒子ビームレットを規定するための複数の開口を有する多開口レンズプレートを備える。装置全体の画像解像度を改善するために、当該多開口レンズプレートの開口は、非円形断面形状を有する。非円形断面形状のそれぞれは、隣接する開口から生じる収差を低減するために配置される。アレイ内の異なる開口が共に十分に近接している場合（すなわち、周囲の物質に対する穴の比率が十分に高い場合）、隣接する開口レンズの場が重なり合う傾向があることが分かった。これにより、様々な種類のレンズ収差が発生し、このことは、それぞれのビームレットのスポットサイズを増大させ、画像解像度を低下させる。当該多開口レンズプレートの複数の開口に非円形断面形状を提供することにより、これらの収差が低減され、これにより、それぞれのビームレットのスポットサイズもまた改善される。特に、スポットをより丸くかつ小さくすることができ、これは、それぞれのビームレットのそれぞれの画像解像度を改善させる。したがって、本明細書で定義されるような目的が達成される。
【０００６】
有利な実施形態を以下に説明する。
【０００７】
一実施形態では、多開口レンズプレートは、開口の規則的なグリッドを含む。規則的なグリッドの開口には、同じ形状および／または向きを与えることができる。当該開口の規則的なグリッドは、開口の長方形または正方形パターンを備えてもよい。例として、そのようなグリッドの特定の中心開口は、４つの隣接する開口（すなわち、１つは上、１つは下、１つは左、１つは右）によって直接囲まれ、これらの隣接する開口のそれぞれは、当該中心開口から実質的に同じ距離に設けられる。このような中心開口には、直接隣接する４つの開口と比べてさらに離れた位置にある、斜めに隣接する開口もあることに留意する。中心開口の非円形形状は、主に、４つの直接隣接する開口によって引き起こされる収差を補正するために提供され、斜めに隣接する開口を補正するためにも使用することができる。一実施形態では、隣接する開口レンズの場によって引き起こされる収差を低減するために、隣接する開口に同様の形状、特に同様の向きがまた与えられる。
【０００８】
ｎ×ｍ個の開口の規則的なグリッドにおいて、ｎ≧３であり、ｍ≧４である場合、複数の前述の中心開口が設けられていることに留意されたい。一実施形態では、これらの中心開口のそれぞれには、それぞれの４つの隣接する開口によって引き起こされる収差を低減するための同様の非円形断面形状が与えられる。中心開口にも同じ寸法を与えてもよい。このように、本実施形態の中心開口は同一であり、これにより、多開口レンズプレートの生産を効果的な手法で行うことが可能になる。
【０００９】
規則的なグリッドでは、側面開口には３つの開口のみが直接隣接していることに留意されたい。これらの側面開口には、多少異なる形状が使用されてもよい。しかしながら、一実施形態では、当該多開口レンズプレートのすべての開口の形状は同一である。これは、これらの開口のそれぞれの断面形状および寸法が実質的に同一であることを意味する。開口の向きも同じにすることができ、異なる開口が同様に位置合わせされ、方向付けられることを意味する。これにより、多開口レンズプレートの迅速かつ効果的な製造が可能になる。
【００１０】
一実施形態では、多開口レンズプレートは、規則的な正方形パターンの開口を有する。このようなグリッドでは、４倍の非点収差が支配的な収差であることが分かった。当該多開口レンズプレートの開口に非円形断面形状を提供することにより、この４倍の非点収差、および一般化により他の非軸対称収差を最小化することが可能である。
【００１１】
非円形断面形状の非限定的な例として、以下の形状、すなわち、長円形、楕円形、丸みを帯びた正方形、または丸みを帯びた長方形の断面を使用してもよい。他の形状もまた考えられる。
【００１２】
一実施形態では、開口は、実質的に連続的に湾曲した外周を有する。これは、角などの外周に鋭いエッジがないことを意味する。連続的に湾曲した外周は、予測可能な収差補正を提供し、製造が比較的簡単である。
【００１３】
一実施形態では、断面形状は、第１の方向に測定される第１の軸と、第１の方向に実質的に直交する第２の方向に測定される第２の軸とを有し、第２の軸は、第１の直径よりも大きい。この場合、形状は、例えば、長円形、楕円形、または丸みを帯びた長方形にすることができる。
【００１４】
一実施形態では、断面形状は、少なくとも２つの対称軸を有する。この場合、形状は、例えば、長円形、楕円形、または丸みを帯びた長方形にすることができる。
【００１５】
更なる実施形態では、断面形状は、少なくとも４つの対称軸を有する。この実施形態では、形状は、例えば、丸みを帯びた正方形であってもよい。
【００１６】
隣接する開口によって誘発された収差を補正する能力をさらに強化するために、開口プレートは、一実施形態では、隣接する開口間に設けられ、かつ多開口レンズプレートの当該表面における電場を局所的に修正するために配置された少なくとも１つのビームレット形状調整要素をさらに含む。
【００１７】
一態様によれば、このビームレット形状調整要素は、非円形断面形状とは別に使用されてもよい。この態様によれば、複数の荷電粒子ビームレットで試料を検査するための荷電粒子ビーム装置が提供され、当該荷電粒子ビーム装置は、
−試料を保持するための試料ホルダと、
−荷電粒子のビームを生成するためのソースと、
−当該荷電粒子のビームを複数の荷電粒子ビームレットに変換し、当該複数の荷電粒子ビームレットを当該試料の上に向けるための照明器であって、
○対応する複数の荷電粒子ビームレットを規定するための複数の開口を有する多開口レンズプレート、ならびに
○多開口レンズプレートの表面に電場を発生させるための少なくとも第１の電極を含む、照明器と、
−当該複数の荷電粒子ビームレットによる当該照射に応答して試料から発する放射線束を検出するための検出器と、を備える。
【００１８】
開口プレートは、隣接する開口間に設けられ、かつ多開口レンズプレートの当該表面で電場を局所的に修正するように配置された少なくとも１つのビームレット形状調整要素をさらに含む。
【００１９】
ビームレット形状調整要素の実施形態を以下に説明する。
【００２０】
一実施形態では、当該ビームレット形状調整要素は、当該多開口レンズプレート内の凹部を含む。特に、当該凹部は、止まり穴である。
【００２１】
更なる実施形態では、当該ビームレット形状調整要素は、当該多開口レンズプレート上の突起を含む。
【００２２】
当該ビームレット形状調整要素は、開口の周囲に設けられた壁要素であってもよい。特に、当該ビームレット形状調整要素は、開口プレートから延び、かつ開口の縁の周りに設けられた円周方向の突起であってもよい。
【００２３】
別の実施形態では、当該ビームレット形状調整要素は、同様の手法で両方の隣接する開口に影響を及ぼすように、当該隣接する開口のほぼ中間に設けられる。
【００２４】
ビームレット形状調整要素が円形の断面形状を有し、当該ビームレット形状調整要素の直径が当該開口の直径の０．２５から０．７５の間にあり、特に０．５に等しいと考えられる。
【００２５】
一態様によれば、本明細書に開示されるような荷電粒子ビーム装置用の多開口レンズプレートが提供され、当該多開口レンズプレートは、当該荷電粒子ビーム装置の使用時に対応する複数の荷電粒子ビームレットを規定するために配置された複数の開口を有し、当該多開口レンズプレートの当該開口は、非円形断面形状を有する。
【００２６】
そのような荷電粒子ビーム装置の利点は上記で説明された。荷電粒子ビーム装置の実施形態は、本明細書に記載されているような多開口レンズプレートの実施形態を含むことができる。
【図面の簡単な説明】
【００２７】
【図１】図１は、マルチビーム走査電子顕微鏡の形態で、荷電粒子ビーム装置の例を示す図である。
【図２】図２は、多開口プレートに形成された開口の例を示す図である。
【図３】図３ａ〜３ｄは、多開口プレートに形成された開口の別の例をそれぞれ示す図である。
【図４】図４は、一実施形態による多開口レンズプレートを示す図である。
【図５】図５は、多開口レンズプレートの第１例を概略的に示す図である。
【図６】図６は、多開口レンズプレートの第１例を概略的に示す図である。
【図７】図７は、多開口レンズプレートの第２例を概略的に示す図である。
【発明を実施するための形態】
【００２８】
本明細書に開示されるような荷電粒子ビーム装置の実施形態は、次に添付図面を参照して説明される。
図１は、荷電粒子ビーム装置を概略的に描写する。
【００２９】
図１は、マルチビーム走査電子顕微鏡（ＭＢＳＥＭ）の形態で、荷電粒子ビーム装置の例を示す。ＭＢＳＥＭ１は、一次荷電粒子ビーム３のアレイ、この場合では、一次電子ビーム３のアレイを発生させるためのマルチビーム荷電粒子発生器２ａを備える。マルチビーム電子発生器２ａは、発散電子ビーム５を発生させるための少なくとも１つの電子ソース４を備える。発散電子ビーム５は、開口レンズアレイ６によって、集束された一次電子ビーム３のアレイに分割される。続いて、一次電子ビーム３は、矢印Ｐによって概略的に示されるように、サンプル１５の方に向けられる。
【００３０】
ソース４の複数の像は、加速器レンズ７の物体主平面上に位置付けられる。加速器レンズ７は、一次電子ビーム３を光軸８の方に向け、すべての一次電子ビーム３の第１の共通交差点９を生成する。
【００３１】
第１の共通交差点９は、磁気集束レンズ１０によって、電流制限開口として機能する可変開口１１の上に結像される。可変開口１１では、すべての一次電子ビーム３の第２の共通交差点が生成される。
【００３２】
ＭＢＳＥＭは、一次荷電粒子ビームを可変開口１１における共通交差点からサンプル表面１５の方に向けて、すべての一次荷電粒子ビーム３をサンプル表面１５上の個々のスポットのアレイに集束させるためのレンズシステム１３、１４を備える。レンズシステムは、可変開口１１を対物レンズ１４のコマフリー平面上に結像するための中間磁気レンズ１３を備え、その対物レンズ１４は、サンプル表面１５上に集束された一次電子ビームのアレイを生成する。
【００３３】
さらに、ＭＢＳＥＭには、サンプル表面１５上で集束された一次電子ビームのアレイを走査するための走査コイル１６が設けられている。
【００３４】
この実施形態に示されるＭＢＳＥＭにはさらに、共通交差点を含む平面内に少なくとも実質的にまたはその近くに、この場合では可変開口１１の真下に、位置付けられた位置感知二次電子検出器１２が設けられている。この二次電子検出システム１２は、サンプル表面１５上の各単一の一次電子ビームスポットの個々の二次電子像を取得するように配置される。これは、このＭＢＳＥＭ１でサンプル表面１５が走査されるとき、複数の像を単一走査期間内に同時に取得できることを意味する。
【００３５】
図１に示されるような荷電粒子ビーム装置１は、複数の荷電粒子ビームレット３で試料１５を検査するために配置される。荷電粒子ビーム装置は、試料を保持するための試料ホルダ１５と、荷電粒子のビーム５を生成するためのソース４と、当該荷電粒子のビーム５を複数の荷電粒子ビームレット３に変換し、当該複数の荷電粒子ビームレット３を当該試料１５の上に向けるための照明器２ｂと、を備える。照明器２ｂは、対応する複数の荷電粒子ビームレットを規定するための複数の開口を有する多開口レンズプレート６と、加えて、多開口レンズプレート６の表面に電場を発生させるための少なくとも第１の電極６１と、当該複数の荷電粒子ビームレットによる照射に応答して試料１５から発せられる放射束を検出するための検出器１２と、を備える。ここで図１に示されるような一般的なセットアップは、例えばＥＰ２８６４９９７Ｂ１から当業者に知られており、このセットアップへの修正もまた当業者に知られていることに留意されたい。
【００３６】
本明細書に開示されるような荷電粒子装置１は、多開口レンズプレート６を備え、当該多開口レンズプレート６の開口は、非円形断面形状を有する。これは、図２から図７に示されるようないくつかの実施形態に関してより詳細に議論される。多開口レンズプレートを使用すると、画像解像度が改善される。
【００３７】
図２は、多開口プレート６に形成された開口３１５の規則的なグリッド３１９を示す。各非外周開口、または中心開口「ａ」は、４つの直接隣接する開口「ｂ」、「ｃ」、「ｄ」、および「ｅ」を有し、２番目に最も近い４つの隣接する開口、または斜めに隣接する「ｆ」、「ｇ」、「ｈ」、「ｉ」を有する。図２は、開口３１５が最も近い隣接ピッチで配列された基本アレイベクトル［１０］を示し、図２は、開口３１５が２番目に最も近い隣接ピッチで配列された基本アレイベクトル［１１］を示す。本明細書に開示されるように、当該多開口レンズプレート６の開口３１５は、図３ａ〜ｄの様々な実施形態によりよく示されるように、非円形断面形状を有する。
【００３８】
図３ａ〜３ｄに示される開口３１５の各々は、断面形状が非円形であり、（直接）隣接する開口から生じる収差を低減するために配置される。図３ａにおいて、および図３ｃにより明確に示されるように、開口３１５の外周は、互いに対してオフセットを有する４つの円によって規定され、直線縁部によって相互接続されている。図３ｂ、および図３ｄにより明確に示されるように、開口３１５の外周は、互いに対してオフセットを有する４つの楕円または長円形状によって規定される。すべての図において、開口３１５の外周は連続的に湾曲しており、外周の異なる部分間に滑らかな移行があることを意味している。言い換えれば、その全外周に沿って、曲線は、曲線の実質的に任意の位置で微分可能である。
【００３９】
図２に示すような多開口レンズプレート６の少なくとも中心開口「ｅ」、「ａ」、「ｈ」、「ｄ」にこれらの開口３１５を使用すると、隣接する開口によって誘発された収差の低減につながり、試料上の各ビームレット３のスポットサイズを減少させる。全体として、これは、本明細書で開示されるような荷電粒子装置の画像解像度を高める。好ましくは、すべての開口が、同一の断面形状を使用する。
【００４０】
図３ａ〜ｄから、開口３１５は、所与の開口３１５の中心３１７の周りに４倍の対称性を含むことが分かる。このようにして、開口３１５の規則的な正方形グリッドを有する多開口レンズプレート６に関連する４倍の非点収差を最小化することが可能である。
【００４１】
丸みを帯びた角を有する「正方形」の作成（図３ａおよび３ｃ）、４つの楕円の結合（図３ｂおよび３ｄ）を含む、非円形開口を導入する複数の手法があることに留意されたい。最初の場合では、例えば、２５ミクロン間隔のグリッド上の（約）１８ミクロンの穴径の場合、円形区分が全側面上のわずか０．４ミクロンの直線区分によって接合されるように、各角において約８．８ミクロンの曲率半径で良好な結果が得られた。楕円の場合、例えば、楕円の長軸と短軸の比率（アスペクト比）が約１．０８である場合、良好な結果が得られた。上記の両方の変形は、（４倍の非点収差を引き起こす）隣接する穴の８極子場を補正することができるが、それらが引き起こす高次収差（主に８倍の非点収差）の程度が、それらではわずかに異なる。この点で、楕円を用いるバージョンが、より良い結果を提供した。
【００４２】
図４は、一実施形態による多開口レンズプレート６を示し、これは、斜めに隣接する開口３１５の間に設けられ、かつ多開口レンズプレート６の当該表面で電場を局所的に修正するように配置されたビームレット形状調整要素４０１を含む。ビームレット形状調整要素４０１の使用は、隣接する開口によって誘発された収差をさらに補正するのに役立ち得る。前述のように、ビームレット形状調整要素４０１の使用は、非円形開口３１５に追加されてもよいが、ビームレット形状調整要素４０１は、円形開口とともに使用されてもよい。
【００４３】
図５は、開口３１５のグリッドを有し、かつビームレット形状調整要素４０１が設けられた多開口レンズプレート６の第１の例を概略的に示す。この例では、ビームレット形状調整要素４０１は、多開口レンズプレート６に設けられた止まり穴である。
【００４４】
図６は、開口３１５のグリッドを有する多開口レンズプレート６の第２の例を概略的に示し、ビームレット形状調整要素４０１は、多開口レンズプレート６上の突起として設けられている。
【００４５】
図７は、開口３１５のグリッドを有する多開口レンズプレート６の第３の実施形態を概略的に示し、ビームレット形状調整要素４０１ａ、４０１ｂは、それぞれの開口３１５の周囲を囲む突起壁要素として設けられている。特に、壁要素４０１ａ、４０１ｂは、開口３１５の全外周に沿って設けられている。図５〜７に示されている実施形態は、隣接する開口によって誘発された収差の制御において改善された結果を提供することが分かった。
【００４６】
図５〜図７に示す実施形態では、開口３１５は、本明細書で開示するような（図では見えない）非円形断面形状を有することに留意されたい。しかしながら、ビームレット形状調整要素４０１、４０１ａ、４０１ｂは、独立した特徴として、すなわち円形の断面形状を有する開口３１５とともに使用することもできる。
【００４７】
所望の保護は、添付の特許請求の範囲によって付与される。
【図１】
2020140960.tif 000003
【図２】
2020140960.tif 000004
【図３】
2020140960.tif 000005
【図４】
2020140960.tif 000006
【図５】
2020140960.tif 000007
【図６】
2020140960.tif 000008
【図７】
2020140960.tif 000009
【外国語明細書】
2020140960000001.pdf